(57)【要約】【課題】角形二次電池の電池容器を覆う絶縁材料の剥がれを防止し、電池容器の外部環境に対する絶縁の信頼性を向上させることができる角形二次電池を提供する。【解決手段】角形の電池容器１０を備えた角形二次電池１００であって、一端に開口１ａを有し開口１ａから電池容器１０の一部を露出させた状態で電池容器１０を覆う絶縁性の伸縮フィルム１と、伸縮フィルム１の開口１ａから露出した電池容器１０を覆うとともに開口１ａの縁部１ｂを覆う絶縁性の粘着フィルム２と、を備える角形二次電池１００である。電池容器１０は、電極群４０を収容する一端が開放された電池缶１１と、正極及び負極外部端子２０が設けられ電池缶１１を封止する電池蓋１２とを有する。伸縮フィルム１は、開口１ａから電池蓋１２の少なくとも一部を露出させ、粘着フィルム２は、開口１ａから露出した電池蓋１２を覆うとともに外部端子２０を露出させる貫通孔２ａを有する。【選択図】図１Ａ
2018028964.tif 000002
【特許請求の範囲】
【請求項１】
角形の電池容器を備えた角形二次電池であって、
一端に開口を有し該開口から前記電池容器の一部を露出させた状態で前記電池容器を覆う絶縁性の伸縮フィルムと、該伸縮フィルムの前記開口から露出した前記電池容器を覆うとともに該開口の縁部を覆う絶縁性の粘着フィルムと、を備えることを特徴とする角形二次電池。
【請求項２】
前記電池容器は、電極群を収容する一端が開放された電池缶と、正極及び負極外部端子が設けられ前記電池缶を封止する電池蓋と、を有し、
前記伸縮フィルムは、前記開口から前記電池蓋の少なくとも一部を露出させ、
前記粘着フィルムは、前記開口から露出した前記電池蓋を覆うとともに前記正極及び負極外部端子を露出させる貫通孔を有することを特徴とする請求項１に記載の角形二次電池。
【請求項３】
前記電池缶は、一対の幅広側面と一対の幅狭側面とを有する扁平な形状を有し、
前記伸縮フィルムは、前記開口から前記一対の幅広側面の一部を露出させ、
前記粘着フィルムは、前記幅広側面の前記一部を覆うことを特徴とする請求項２に記載の角形二次電池。
【請求項４】
前記伸縮フィルムは、前記開口から前記一対の幅狭側面の一部を露出させ、
前記粘着フィルムは、前記幅狭側面の前記一部を覆うことを特徴とする請求項３に記載の角形二次電池。
【請求項５】
前記伸縮フィルムは、前記電池缶の全体を覆って前記開口から前記電池蓋の一部を露出させ、
前記粘着フィルムは、前記電池蓋の前記一部を覆うことを特徴とする請求項２に記載の角形二次電池。
【請求項６】
前記電池蓋と前記正極及び負極外部端子との間にガスケットを備え、
前記粘着フィルムは、前記ガスケットを覆うことを特徴とする請求項２から請求項５のいずれか一項に記載の角形二次電池。
【請求項７】
前記電池蓋は、前記電池容器の内圧上昇時に開放されるガス排出弁を有し、
前記粘着フィルムは、前記ガス排出弁の少なくとも一部を露出させる貫通孔を有することを特徴とする請求項２から請求項５のいずれか一項に記載の角形二次電池。
【請求項８】
前記伸縮フィルムは、熱可塑性を有する樹脂材料によって製作されていることを特徴とする請求項１に記載の角形二次電池。
【請求項９】
前記伸縮フィルムは、熱収縮性を有する樹脂材料によって製作されていることを特徴とする請求項８に記載の角形二次電池。
【請求項１０】
前記粘着フィルムの引張強さが前記伸縮フィルムの引張強さよりも強いことを特徴とする請求項１に記載の角形二次電池。
【請求項１１】
前記粘着フィルムは、基材層と粘着層とを有し、
前記粘着層と前記伸縮フィルムとの間の粘着力は、前記伸縮フィルムと前記電池容器との間の接着力よりも強く、前記粘着層と前記基材層との間の粘着力よりも弱いことを特徴とする請求項１に記載の角形二次電池。
【請求項１２】
前記粘着層と前記基材層との間の粘着力は、前記粘着層と前記電池容器との間の粘着力よりも強いことを特徴とする請求項１１に記載の角形二次電池。
【請求項１３】
前記粘着フィルムは、着色されていることを特徴とする請求項２に記載の角形二次電池。
【請求項１４】
前記粘着フィルムは、前記正極外部端子側と前記負極外部端子側とで異なる色に着色されていることを特徴とする請求項１３に記載の角形二次電池。
【発明の詳細な説明】
【技術分野】
【０００１】
本発明は、車載用途等に使用される角形二次電池に関する。
【背景技術】
【０００２】
例えば、ハイブリッド電気自動車や純粋な電気自動車等の動力源として大容量（Ｗｈ）の二次電池が開発されており、その中でもエネルギー密度（Ｗｈ／ｋｇ）の高い角形のリチウムイオン二次電池が注目されている。このような角形二次電池においては、安全性を向上させる観点から、電池容器に設けられた安全弁からのガス排出を阻害することなく、電池容器の外表面を外部環境に対して電気的に絶縁することが要求される。
【０００３】
絶縁性を有する材料で角形二次電池を被覆する技術として、角形二次電池の樹脂被覆方法が知られている（下記特許文献１を参照）。特許文献１に記載された角形二次電池の樹脂被覆方法では、二次電池本体の正極側を絶縁性蓋部材で覆い、チューブ状に延伸したシュリンクフィルムを所定寸法に切断し、このシュリンクフィルムに二次電池本体を挿入する。そして、シュリンクフィルムの二次電池本体の負極側先端部を袋状に閉じ、又は帯状にして、シュリンクフィルムによって絶縁性蓋部材を含めて二次電池本体の外周面を熱収縮して被覆する。
【先行技術文献】
【特許文献】
【０００４】
【特許文献１】特開２００３−２２３８７２号公報
【発明の概要】
【発明が解決しようとする課題】
【０００５】
特許文献１の樹脂被覆方法を用いた角形二次電池では、チューブ状のシュリンクフィルムの開口端が、二次電池本体の正極側を覆う絶縁性蓋部材の外側に配置され、角形二次電池の外表面に露出している。この場合、例えば、角形二次電池の充放電による電極の膨張収縮に伴ってシュリンクフィルムが伸縮し、又は、角形二次電池の発熱や環境温度の変化による熱的な負荷を受け、チューブ状のシュリンクフィルムの開口端が絶縁性蓋部材から剥がれる虞がある。このように、角形二次電池の電池容器を覆うシュリンクフィルムの開口端が剥がれると、電池容器の外部環境に対する絶縁性が損なわれる虞がある。
【０００６】
本発明は、前記課題に鑑みてなされたものであり、角形二次電池の電池容器を覆う絶縁材料の剥がれを防止し、電池容器の外部環境に対する絶縁の信頼性を向上させることができる角形二次電池を提供することを目的とする。
【課題を解決するための手段】
【０００７】
前記目的を達成すべく、本発明の角形二次電池は、角形の電池容器を備えた角形二次電池であって、一端に開口を有し該開口から前記電池容器の一部を露出させた状態で前記電池容器を覆う絶縁性の伸縮フィルムと、該伸縮フィルムの前記開口から露出した前記電池容器を覆うとともに該開口の縁部を覆う絶縁性の粘着フィルムと、を備えることを特徴とする。
【発明の効果】
【０００８】
本発明の角形二次電池によれば、絶縁性を有する伸縮フィルムによって電池容器を覆い、絶縁性を有する粘着フィルムによって伸縮フィルムの開口から露出した電池容器と伸縮フィルムの開口の縁部を覆うことで、角形二次電池の電池容器を覆う伸縮フィルムの剥がれを防止し、電池容器の外部環境に対する絶縁の信頼性を向上させることができる。
【図面の簡単な説明】
【０００９】
【図１Ａ】本発明の実施形態１に係る角形二次電池を示す外観斜視図。
【図１Ｂ】図１Ａに示すＢ−Ｂ線に沿う拡大断面図。
【図２】図１Ａに示す角形二次電池の絶縁被覆前の外観斜視図。
【図３】図２に示す角形二次電池の分解斜視図。
【図４】図３に示す電極群の分解斜視図。
【図５Ａ】図１Ａに示す角形二次電池の絶縁被覆工程を説明する斜視図。
【図５Ｂ】図１Ａに示す角形二次電池の絶縁被覆工程を説明する斜視図。
【図６Ａ】図１Ａに示す角形二次電池の絶縁被覆工程の変形例１を説明する斜視図。
【図６Ｂ】図１Ａに示す角形二次電池の絶縁被覆工程の変形例１を説明する斜視図。
【図６Ｃ】図１Ａに示す角形二次電池の絶縁被覆工程の変形例１を説明する断面図。
【図７Ａ】図１Ａに示す角形二次電池の絶縁被覆工程の変形例２を説明する斜視図。
【図７Ｂ】図１Ａに示す角形二次電池の絶縁被覆工程の変形例２を説明する斜視図。
【図７Ｃ】図１Ａに示す角形二次電池の絶縁被覆工程の変形例２を説明する斜視図。
【図７Ｄ】図１Ａに示す角形二次電池の絶縁被覆工程の変形例２を説明する斜視図。
【図７Ｅ】図１Ａに示す角形二次電池の絶縁被覆工程の変形例２を説明する斜視図。
【図８Ａ】本発明の実施形態２に係る角形二次電池を示す外観斜視図。
【図８Ｂ】図８Ａに示す角形二次電池から粘着フィルムを取り外した分解斜視図。
【図９Ａ】本発明の実施形態３に係る角形二次電池を示す外観斜視図。
【図９Ｂ】図９Ａに示す角形二次電池から粘着フィルムを取り外した分解斜視図。
【図１０】本発明の実施形態４に係る角形二次電池を示す外観斜視図。
【発明を実施するための形態】
【００１０】
以下、図面を参照して本発明の角形二次電池の実施の形態について詳細に説明する。
【００１１】
（実施形態１）
図１Ａは、本発明の実施形態１に係る角形二次電池１００の外観斜視図である。図１Ｂは、図１ＡのＢ−Ｂ線に沿う拡大断面図である。
【００１２】
本実施形態の角形二次電池１００は、例えば、リチウムイオン二次電池等の非水電解質二次電池であり、角形の電池容器１０と、該電池容器１０を覆う電気絶縁性の伸縮フィルム１及び粘着フィルム２を備えている。伸縮フィルム１は、一端に開口１ａを有し、該開口１ａから電池容器１０の一部を露出させた状態で電池容器１０を覆っている。粘着フィルム２は、伸縮フィルム１の開口１ａから露出した電池容器１０を覆うとともに、伸縮フィルム１の開口１ａの縁部１ｂを覆っている。すなわち、角形二次電池１００は、電池容器１０の外表面が、伸縮フィルム１及び粘着フィルム２によって絶縁被覆されている。
【００１３】
本実施形態において、伸縮フィルム１は、例えば、ＰＰ（ポリプロピレン）、ＰＥ（ポリエチレン）、ナイロン等、熱可塑性を有する樹脂材料によって製作されたシート状又はフィルム状の部材である。なお、伸縮フィルム１は、熱収縮性を有する樹脂材料、例えば、ＰＥＴ（ポリエチレンテレフタレート）、ＰＰ等によって製作してもよい。伸縮フィルム１は、無色透明でも着色されていてもよく、単層でも複層でもよい。伸縮フィルム１として、複層の樹脂材料を用いる場合には、例えば、ＰＥとナイロンを積層させた樹脂シート又は樹脂フィルムを用いることができる。
【００１４】
粘着フィルム２は、シート状又はフィルム状の基材層２αと、該基材層２αを電池容器１０や伸縮フィルム１に貼り付けるための粘着層２βとを備えている。粘着フィルム２の基材層２αは、例えば、伸縮フィルム１と同様の材料で製作することができる。本実施形態において、粘着フィルム２の基材層２αは、例えば、ＰＥＴ又はＰＰ等、熱収縮性を有する樹脂材料によって製作されている。粘着フィルム２の粘着層２βの材料としては、例えば、一般的な二次電池の電極絶縁用途の絶縁テープに用いられているような、シリコーン系、アクリル系等の一般的な粘着剤を用いることができる。
【００１５】
本実施形態において、粘着フィルム２の引張強さは、伸縮フィルム１の引張強さよりも強くなっている。このような引張強さの大小関係は、例えば、伸縮フィルム１の厚さ及び材質と、粘着フィルム２の厚さ及び材質とを、適切に設定することによって実現することができる。
【００１６】
また、本実施形態において、粘着フィルム２の粘着層２βと伸縮フィルム１との間の粘着力は、伸縮フィルム１と電池容器１０との間の接着力よりも強く、粘着フィルム２の粘着層２βと基材層２αとの間の粘着力よりも弱い。さらに、本実施形態において、粘着フィルム２の粘着層２βと基材層２αとの間の粘着力は、粘着層２βと電池容器１０との間の粘着力よりも強い。換言すると、粘着層２βと基材層２αとの間の保持力は、粘着層２βと伸縮フィルム１との間の保持力より大きい。また、粘着層２βと基材層２αとの間の保持力は、伸縮フィルム１と電池容器１０との間の保持力より大きい。このような粘着力及び保持力の大小関係は、例えば、粘着フィルム２の粘着層２βと基材層２αとの間の接触面積を、粘着層２βと伸縮フィルム１又は電池容器１０との間の接触面積よりも大きくすることで、実現することができる。
【００１７】
より具体的には、例えば、粘着フィルム２の基材層２αの表面を粗化する易接着処理を施したり、伸縮フィルム１又は電池容器１０の表面粗さを低減する平滑化処理を施したりすることで、粘着フィルム２の粘着層２βに対する各部材の接触面積を増減させることができる。なお、電池容器１０の表面の平滑化処理には、例えば、電池容器１０の表面にシリコンコートなどの離型処理を施して、電池容器１０と粘着フィルム２の粘着層２βとの粘着力を相対的に低減させることを含む。
【００１８】
図２は、図１Ａに示す角形二次電池１００の電池容器１０が伸縮フィルム１及び粘着フィルム２によって絶縁被覆される前の状態を示す外観斜視図である。図３は、図２に示す絶縁被覆前の角形二次電池１００の分解斜視図である。
【００１９】
本実施形態の角形二次電池１００は、例えば、矩形箱形の電池容器１０を備える角形リチウムイオン二次電池である。電池容器１０は、開口部１１ａによって一端が開放され内部に電極群４０を収容する有底角筒状の電池缶１１と、電池缶１１の開口部１１ａを封止する電池蓋１２とを有している。電池缶１１及び電池蓋１２は、例えば、アルミニウム又はアルミニウム合金等の金属材料によって製作されている。
【００２０】
電池缶１１は、内部に収容される扁平な電極群４０に対応する扁平角形の形状を有している。電池缶１１は、底部を閉塞して電池蓋１２に対向する底壁によって形成された概ね長方形の底面１１ｂと、厚さ方向に対向する一対の側壁によって形成された幅広側面１１ｃと、幅方向に対向する一対の側壁によって形成された幅狭側面１１ｄとを有している。電池蓋１２は、電池缶１１の長方形の開口部１１ａを封止する概ね長方形の板状の部材であり、長手方向の一端と他端に正極及び負極外部端子２０Ａ，２０Ｂが設けられている。
【００２１】
正極外部端子２０Ａは、例えば、アルミニウム又はアルミニウム合金によって製作され、負極外部端子２０Ｂは、例えば、銅又は銅合金によって製作されている。以下、正極側と負極側を特に区別する必要がない場合には、正極及び負極外部端子２０Ａ，２０Ｂを一括して外部端子２０と表記する。外部端子２０は、バスバー等に溶接接合される溶接接合部２１を有している。溶接接合部２１は、概ね直方体形状を有するブロック状に形成され、下端面が電池蓋１２の上面に対向し、上端面が電池蓋１２の上面と平行になっている。溶接接合部２１の下端面には、電池蓋１２の上面に垂直な方向に延びる柱状の接続部２１ａが設けられている。
【００２２】
外部端子２０と電池蓋１２との間には、ガスケット３が配置されている。ガスケット３は、例えばポリブチレンテレフタレートやポリフェニレンサルファイド、ペルフルオロアルコキシフッ素樹脂等の絶縁性を有する樹脂材料によって製作されている。ガスケット３は、外部端子２０の接続部２１ａを挿通させる貫通孔３ａと、外部端子２０の溶接接合部２１の側面の一部を覆う側壁部３ｂとを有している。
【００２３】
電池蓋１２は、長手方向の両端に、外部端子２０の接続部２１ａを挿通させる一対の貫通孔１２ａを有している。また、電池蓋１２は、一対の貫通孔１２ａの間の中間部に、ガス排出弁１３及び注液口１４を有している。ガス排出弁１３は、例えば、電池蓋１２を薄肉化して溝部１３ａを形成することによって設けられ、電池容器１０の内部の圧力が所定値を超えて上昇した時に開裂して内部のガスを放出することで、電池容器１０の内部の圧力を低下させる。注液口１４は、電池容器１０の内部に電解液を注入するのに用いられ、例えば、レーザ溶接によって注液栓１５が溶接されて封止されている。
【００２４】
電池蓋１２の内側の面には、外側の面に配置された正極及び負極外部端子２０Ａ，２０Ｂに対応する位置に、正極及び負極集電板３０Ａ，３０Ｂが絶縁板４を介して固定されている。正極集電板３０Ａは、例えば、アルミニウム又はアルミニウム合金によって製作され、負極集電板３０Ｂは、例えば銅又は銅合金によって製作されている。絶縁板４は、例えば、ガスケット３と同様の絶縁性を有する樹脂材料によって製作されている。以下、正極及び負極集電板３０Ａ，３０Ｂを特に区別する必要がない場合には、正極及び負極集電板３０Ａ，３０Ｂを一括して集電板３０と表記する。
【００２５】
集電板３０は、電池蓋１２の下面に対向して配置される矩形板状の基部３１と、基部３１の側端で折曲されて電池缶１１の幅広側面１１ｃに沿って底面１１ｂに向かって延びる端子部３２とを有している。電池蓋１２の内側の面すなわち下面と、集電板３０の基部３１との間には、絶縁板４が配置され、電池蓋１２と集電板３０とが電気的に絶縁されている。集電板３０の基部３１と絶縁板４は、それぞれ外部端子２０の接続部２１ａを挿通させる貫通孔３１ａ，４ａを有している。
【００２６】
外部端子２０、ガスケット３、絶縁板４及び集電板３０は、電池蓋１２に対してかしめ固定されている。具体的には、ガスケット３の貫通孔３ａ、電池蓋１２の貫通孔１２ａ、絶縁板４の貫通孔４ａ、及び集電板３０の基部３１の貫通孔３１ａに、外部端子２０の接続部２１ａを挿通させた後、接続部２１ａの先端を塑性変形させて拡径し、かしめ部を形成する。これにより、外部端子２０、ガスケット３、絶縁板４及び集電板３０が電池蓋１２に対してかしめ固定され、外部端子２０と集電板３０とが電気的に接続される。また、ガスケット３及び絶縁板４によって、外部端子２０及び集電板３０が電池蓋１２に対して電気的に絶縁される。
【００２７】
電極群４０は、正極及び負極電極４１，４２（図３参照）の箔露出部４１ｃ，４２ｃを束ね、例えば、超音波圧接又は抵抗溶接等によって、それぞれ正極及び負極集電板３０Ａ，３０Ｂの端子部３２に接合されている。これにより、電極群４０は、集電板３０を介して外部端子２０と電気的に接続され、集電板３０を介して電池蓋１２に固定されている。電極群４０は、例えば、ポリプロピレン等の合成樹脂製の絶縁保護フィルム５によって覆われて電池缶１１に対して電気的に絶縁され、電池缶１１の開口部１１ａから電池缶１１内部に挿入されている。その後、例えば、レーザ溶接によって、電池蓋１２を電池缶１１の開口部１１ａの全周に亘って溶接し、電池缶１１の開口部１１ａを電池蓋１２によって封止することで、電池容器１０が形成される。
【００２８】
その後、電池蓋１２の注液口１４を介して電池容器１０の内部に非水電解液を注入して電池缶１１に非水電解液を収容し、例えば、レーザ溶接によって注液栓１５を注液口１４に接合して封止することで、電池容器１０が密閉されている。電池容器１０の内部に注入する非水電解液としては、例えば、エチレンカーボネート等の炭酸エステル系の有機溶媒に、６フッ化リン酸リチウム（ＬｉＰＦ６）等のリチウム塩が溶解された非水電解液を適用することができる。
【００２９】
図４は、図３に示す電極群４０の一部を展開した分解斜視図である。
【００３０】
電極群４０は、セパレータ４３，４４を介在させて積層した正極及び負極電極４１，４２を捲回軸Ａに平行な軸芯の周りに捲回して扁平形状に成形した捲回電極群である。セパレータ４３，４４は、正極電極４１と負極電極４２との間を絶縁すると共に、最外周に捲回された負極電極４２の外側にもセパレータ４４が捲回されている。セパレータ４３，４４は、例えば、多孔質のポリエチレン樹脂によって製作されている。
【００３１】
電極群４０は、正極及び負極電極４１，４２が平坦に積層された厚さ方向両側の一対の平面部４０ａと、平面部４０ａの両側で正極及び負極電極４１，４２が湾曲して積層された半円筒状の一対の湾曲部４０ｂを有している。電極群４０は、捲回軸Ａが電池缶１１の底面１１ｂ及び幅広側面１１ｃと平行になるように電池缶１１内に挿入され、一対の平面部４０ａが電池缶１１の一対の幅広側面１１ｃに対向して配置され、一対の湾曲部４０ｂが電池蓋１２及び電池缶１１の底面１１ｂに対向して配置される。
【００３２】
正極電極４１は、正極集電体である正極箔４１ａと、正極箔４１ａの両面に塗布された正極活物質合剤からなる正極合剤層４１ｂとを有している。正極電極４１の幅方向の一側は、正極合剤層４１ｂが形成されず、正極箔４１ａが露出した箔露出部４１ｃとされている。正極電極４１は、箔露出部４１ｃが負極電極４２の箔露出部４２ｃと捲回軸Ａ方向の反対側に配置されて、捲回軸Ａの周りに捲回されている。
【００３３】
正極電極４１は、例えば、正極活物質に導電材、結着剤及び分散溶媒を添加して混練した正極活物質合剤を、幅方向の一側を除いて正極箔４１ａの両面に塗布し、乾燥、プレス、裁断することによって製作することができる。正極箔４１ａとしては、例えば、厚さ約２０μｍのアルミニウム箔を用いることができる。正極箔４１ａの厚みを含まない正極合剤層４１ｂの厚さは、例えば、約９０μｍである。
【００３４】
正極活物質合剤の材料としては、例えば、正極活物質として１００重量部のマンガン酸リチウム（化学式ＬｉＭｎ２Ｏ４）を、導電材として１０重量部の鱗片状黒鉛を、結着剤として１０重量部のポリフッ化ビニリデン（以下、ＰＶＤＦという。）を、分散溶媒としてＮ−メチルピロリドン（以下、ＮＭＰという。）を、それぞれ用いることができる。正極活物質は、前記したマンガン酸リチウムに限定されず、例えば、スピネル結晶構造を有する他のマンガン酸リチウム、一部を金属元素で置換又はドープしたリチウムマンガン複合酸化物を用いてもよい。また、正極活物質として、層状結晶構造を有するコバルト酸リチウムやチタン酸リチウム、及びこれらの一部を金属元素で置換又はドープしたリチウム−金属複合酸化物を用いてもよい。
【００３５】
負極電極４２は、負極集電体である負極箔４２ａと、負極箔４２ａの両面に塗布された負極活物質合剤からなる負極合剤層４２ｂとを有している。負極電極４２の幅方向の一側は、負極合剤層４２ｂが形成されず、負極箔４２ａが露出した箔露出部４２ｃとされている。負極電極４２は、その箔露出部４２ｃが正極電極４１の箔露出部４１ｃと捲回軸Ａ方向の反対側に配置されて、捲回軸Ａ周りに捲回されている。
【００３６】
負極電極４２は、例えば、負極活物質に結着剤及び分散溶媒を添加して混練した負極活物質合剤を、幅方向の一側を除く負極箔４２ａの両面に塗布し、乾燥、プレス、裁断することによって製作することができる。負極箔４２ａとしては、例えば、厚さ約１０μｍの銅箔を用いることができる。負極箔４２ａの厚みを含まない負極合剤層４２ｂの厚さは、例えば、約７０μｍである。
【００３７】
負極活物質合剤の材料としては、例えば、負極活物質として１００重量部の非晶質炭素粉末を、結着剤として１０重量部のＰＶＤＦを、分散溶媒としてＮＭＰをそれぞれ用いることができる。負極活物質は、前記した非晶質炭素に限定されず、リチウムイオンを挿入、脱離可能な天然黒鉛や、人造の各種黒鉛材、コークスなどの炭素質材料やＳｉやＳｎなどの化合物（例えば、ＳｉＯ、ＴｉＳｉ２等）、又はそれらの複合材料を用いてもよい。負極活物質の粒子形状についても特に限定されず、鱗片状、球状、繊維状又は塊状等の粒子形状を適宜選択することができる。
【００３８】
なお、前記した正極及び負極合剤層４１ｂ，４２ｂに用いる結着材は、ＰＶＤＦに限定されない。前記した結着材として、例えば、ポリテトラフルオロエチレン（ＰＴＦＥ）、ポリエチレン、ポリスチレン、ポリブタジエン、ブチルゴム、ニトリルゴム、スチレンブタジエンゴム、多硫化ゴム、ニトロセルロース、シアノエチルセルロース、各種ラテックス、アクリロニトリル、フッ化ビニル、フッ化ビニリデン、フッ化プロピレン、フッ化クロロプレン、アクリル系樹脂などの重合体及びこれらの混合体などを用いてもよい。
【００３９】
また、セパレータ４３，４４を介在させて正極電極４１及び負極電極４２を重ねて捲回する際の軸芯は、例えば、正極箔４１ａ、負極箔４２ａ、セパレータ４３，４４のいずれよりも曲げ剛性の高い樹脂シートを捲回したものを用いることができる。
【００４０】
電極群４０の捲回軸Ａ方向において、負極電極４２の負極合剤層４２ｂの幅は、正極電極４１の正極合剤層４１ｂの幅よりも広くなっている。また、電極群４０の最内周と最外周には負極電極４２が捲回されている。これにより、正極合剤層４１ｂは、電極群４０の最内周から最外周まで負極合剤層４２ｂの間に挟まれている。
【００４１】
正極電極４１及び負極電極４２の箔露出部４１ｃ，４２ｃはそれぞれ電極群４０の平面部４０ａで束ねられ、例えば超音波圧接、抵抗溶接等によって、集電板３０の端子部３２に接合される。これにより、正極及び負極外部端子２０Ａ，２０Ｂが、それぞれ正極及び負極集電板３０Ａ，３０Ｂを介して、電極群４０を構成する正極及び負極電極４１，４２とそれぞれ電気的に接続される。
【００４２】
なお、電極群４０の捲回軸Ａ方向において、セパレータ４３，４４の幅は負極合剤層４２ｂの幅よりも広いが、正極電極４１及び負極電極４２の箔露出部４１ｃ，４２ｃは、それぞれセパレータ４３，４４の幅方向端部よりも幅方向外側に突出している。したがって、セパレータ４３，４４は、箔露出部４１ｃ，４２ｃを束ねて溶接する際の支障にはならない。
【００４３】
このような構成を有する角形二次電池１００は、例えば、外部端子２０の溶接接合部２１の上面にバスバーが溶接され、複数の角形二次電池１００を直列に接続した組電池として用いられる。角形二次電池１００は、例えば、発電機等の電力供給源から供給された電力を、外部端子２０及び集電板３０を介して電極群４０に蓄積することで充電される。また、角形二次電池１００は、電極群４０に蓄積した電力を、集電板３０及び外部端子２０を介して、例えば、モーター等の電力を消費する装置に供給する。
【００４４】
また、角形二次電池１００は、何らかの異常によって電池容器１０の内部の圧力が上昇して所定の圧力を超えると、電池蓋１２に設けられたガス排出弁１３が開放され、電池容器１０の内部のガスを排出して内部の圧力を低減させることができる。これにより、角形二次電池１００の安全性が確保されている。
【００４５】
（角形二次電池の絶縁被覆工程）
図５Ａ及び図５Ｂは、図１Ａに示す角形二次電池１００の絶縁被覆工程を説明する斜視図である。
【００４６】
まず、図５Ａに示すように、絶縁被覆前の角形二次電池１００と、角形二次電池１００の電池容器１０を覆うための伸縮フィルム１を用意する。そして、電池容器１０を構成する電池缶１１の底面１１ｂ側に、伸縮フィルム１を配置する。ここで、本実施形態の伸縮フィルム１は、前述の熱可塑性を有する樹脂材料によって製作されている。そのため、例えば、ヒーター等によって伸縮フィルム１を加熱して軟化させた後、吸引装置等によって電池容器１０の電池蓋１２側から空気を吸引することで、軟化した伸縮フィルム１によって電池容器１０を電池缶１１の底面１１ｂ側から包み込むことができる。
【００４７】
これにより、図５Ｂに示すように、絶縁性の伸縮フィルム１は、一端に開口１ａを有し該開口１ａから電池容器１０の一部を露出させた状態で電池容器１０を覆う。このように、加熱して軟化させた伸縮フィルム１で電池容器１０を覆うことで、伸縮フィルム１と電池容器１０とを隙間なく密着させ、伸縮フィルム１を電池容器１０に対して接着することができる。本実施形態において、伸縮フィルム１は、電池缶１１の底面１１ｂと一対の幅広側面１１ｃと一対の幅狭側面１１ｄとに密着している。
【００４８】
すなわち、本実施形態において、伸縮フィルム１は、開口１ａから電池缶１１の開口部１１ａの近傍の上端部と電池蓋１２の全体を露出させ、電池蓋１２及び電池缶１１の上端部を除く電池容器１０の外表面の大部分を覆っている。換言すると、伸縮フィルム１は、開口１ａから、電池蓋１２と、電池缶１１の一対の幅広側面１１ｃの一部と、電池缶１１の一対の幅狭側面１１ｄの一部とを露出させ、電池容器１０のその他の部分を覆っている。
【００４９】
なお、伸縮フィルム１は、電池缶１１の全体、すなわち、電池缶１１の底面１１ｂから電池缶１１と電池蓋１２との間の溶接部までを覆うようにしてもよい。しかし、電池缶１１と電池蓋１２との間の溶接部は、電池容器１０のその他の部分よりも表面粗さや凹凸が大きくなる場合がある。そのため、伸縮フィルム１と電池容器１０との密着性を向上させて剥がれを防止する観点から、伸縮フィルム１によって電池缶１１と電池蓋１２との間の溶接部を被覆しないことが好ましい。
【００５０】
電池缶１１と電池蓋１２との間の溶接部を伸縮フィルム１から露出させる場合には、溶接部が露出するように予め伸縮フィルム１の大きさを設定してもよいが、例えば、以下の手順によって溶接部を露出させるようにしてもよい。すなわち、まず、伸縮フィルム１によって電池缶１１の底面１１ｂから電池缶１１と電池蓋１２との間の溶接部までを覆う。その後、電池缶１１と電池蓋１２との間の溶接部よりも電池缶１１の底面１１ｂ側の位置で、電池蓋１２に沿って伸縮フィルム１を切断し、伸縮フィルム１の溶接部を覆う部分を取り除くようにしてもよい。
【００５１】
以上のように伸縮フィルム１によって電池容器１０を覆った後、伸縮フィルム１の開口１ａから露出した電池容器１０を覆う粘着フィルム２を用意する。そして、角形二次電池１００の電池容器１０を構成する電池蓋１２側に、粘着フィルム２を配置する。図１Ａ及び図１Ｂに示すように、粘着フィルム２は、伸縮フィルム１の開口１ａから露出した電池容器１０を覆うとともに、伸縮フィルム１の開口１ａの縁部１ｂを覆うのに十分な面積と形状を有している。
【００５２】
具体的には、図５Ｂに示すように、粘着フィルム２は、電池容器１０の幅Ｗ方向を長手方向、厚さＴ方向を短手方向とする長方形の形状を有している。粘着フィルム２の短手方向の寸法Ｄ１は、伸縮フィルム１の開口１ａから露出した電池容器１０の高さＨの２倍と厚さＴとの和よりも十分に大きい。また、粘着フィルム２の長手方向の寸法Ｄ２は、露出した電池容器１０の高さＨの２倍と幅Ｗとの和よりも十分に大きい。
【００５３】
本実施形態において、粘着フィルム２の短手方向の寸法Ｄ１は、露出した角形二次電池１００の高さＨの４倍と厚さＴとの和よりも大きく、概ね高さＨの６倍と厚さＴとの和に等しくなっている。また、本実施形態において、粘着フィルム２の長手方向の寸法Ｄ２は、露出した角形二次電池１００の高さＨの６倍と幅Ｗの和よりも大きく、概ね高さＨの１０倍と厚さＴの和と等しくなっている。
【００５４】
また、本実施形態において、粘着フィルム２は、外部端子２０に対応する位置に、外部端子２０を露出させる貫通孔２ａを有している。また、本実施形態において、粘着フィルム２は、ガス排出弁１３に対応する位置に、ガス排出弁１３の少なくとも一部を露出させる貫通孔２ｂを有している。本実施形態において、貫通孔２ｂは、ガス排出弁１３の中央部にその長手方向に沿って延びる丸長孔状に形成され、ガス排出弁１３の一部、すなわち中央部を露出させている。なお、貫通孔２ｂは、ガス排出弁１３の全体を露出させる大きさに形成してもよい。
【００５５】
また、電池蓋１２又は電池缶１１に角形二次電池１００の固体識別情報を含む二次元バーコード等の情報表示部が刻印又は印字されている場合には、粘着フィルム２は、情報表示部を露出させる貫通孔を有してもよい。なお、粘着フィルム２が透明又は半透明である場合には、粘着フィルム２が情報表示部を露出させる貫通孔を有しなくてもよい。また、粘着フィルム２は、着色されていてもよい。この場合、例えば、角形二次電池１００の仕様や納品先に応じて、粘着フィルム２の色を異ならせることができる。また、粘着フィルム２は、正極外部端子２０Ａ側と負極外部端子２０Ｂ側とで異なる色に着色されていてもよい。
【００５６】
例えば、以下の手順により、粘着フィルム２によって伸縮フィルム１の開口１ａから露出した電池容器１０を覆うとともに伸縮フィルム１の開口１ａの縁部１ｂを覆うことができる。まず、図５Ｂに示すように、粘着フィルム２を広げた状態で、電池蓋１２に対向させ、貫通孔２ａ及び貫通孔２ｂと、外部端子２０及びガス排出弁１３とを位置合わせする。次に、粘着フィルム２を電池蓋１２の上面に貼り付け、貫通孔２ａ及び貫通孔２ｂから外部端子２０及びガス排出弁１３を露出させる。これにより、伸縮フィルム１の開口１ａから露出した電池容器１０の一部である電池蓋１２が粘着フィルム２によって覆われる。
【００５７】
次に、電池容器１０の幅Ｗ方向にはみ出した粘着フィルム２の長手方向の両端部を折目２ｃで山折りにして、下方、すなわち、電池缶１１の底面１１ｂに向けて折り返す。そして折り返した粘着フィルム２の短手方向の中央部を、電池缶１１の一対の幅狭側面１１ｄ及び伸縮フィルム１に貼り付ける。これにより、伸縮フィルム１の開口１ａから露出した電池容器１０の一部である電池缶１１の一対の幅狭側面１１ｄの電池蓋１２側の上端部と、一対の幅狭側面１１ｄ上の伸縮フィルム１の開口１ａの縁部１ｂとが、粘着フィルム２によって覆われる。
【００５８】
次に、電池蓋１２から電池容器１０の厚さＴ方向にはみ出した粘着フィルム２の短手方向の両側部を、折目２ｄで山折りにして下方に向けて折り返し、折り返した粘着フィルム２の長手方向の両端部を除く中間部を、電池缶１１の幅広側面１１ｃ及び伸縮フィルム１に貼り付ける。それと同時に、粘着フィルム２を折目２ｅで山折りにするとともに、電池缶１１の幅広側面１１ｃと幅狭側面１１ｄとの間の角部の折目２ｃで谷折りにして、折目２ｅで折り返されて対向した部分の粘着層２β同士を貼り合わせる。
【００５９】
これにより、伸縮フィルム１の開口１ａから露出した電池容器１０の一部である電池缶１１の一対の幅広側面１１ｃの電池蓋１２側の上端部と、一対の幅広側面１１ｃ上の伸縮フィルム１の開口１ａの縁部１ｂとが、粘着フィルム２によって覆われる。このとき、電池缶１１の幅狭側面１１ｄの両側にはみ出した粘着フィルム２には、折目２ｅで折り返されて重なった粘着フィルム２の粘着層２βが貼り合わされた三角形の領域と、その下方側で粘着層２βが露出した矩形の領域とが形成されている。
【００６０】
最後に、幅狭側面１１ｄの両側にはみ出した粘着フィルム２を、折目２ｄで電池容器１０の幅Ｗ方向の中央部に向けて折り返し、粘着層２βが露出した矩形の領域を電池缶１１の幅広側面１１ｃ上の伸縮フィルム１に貼り付ける。以上により、図１Ａに示す角形二次電池１００を得ることができる。なお、粘着フィルム２は、折目２ｃと折目２ｅとの間の三角形の領域を予め切り欠いておいてもよい。
【００６１】
以下、本実施形態の角形二次電池１００の作用について説明する。
【００６２】
本実施形態の角形二次電池１００は、前述のように、一端に開口１ａを有し、該開口１ａから電池容器１０の一部を露出させた状態で電池容器１０を覆う絶縁性の伸縮フィルム１と、該伸縮フィルム１の開口１ａから露出した電池容器１０を覆うとともに、該開口１ａの縁部１ｂを覆う絶縁性の粘着フィルム２と、を備えている。
【００６３】
これにより、例えば、角形二次電池１００の充放電による電極群４０の膨張収縮に伴って伸縮フィルム１が伸縮しても、伸縮フィルム１の開口１ａの縁部１ｂの剥がれが、その縁部１ｂを覆う粘着フィルム２によって防止される。したがって、実施形態の角形二次電池１００によれば、角形二次電池１００の電池容器１０を覆う絶縁性の伸縮フィルム１及び粘着フィルム２の剥がれを防止し、電池容器１０の外部環境に対する絶縁の信頼性を向上させることができる。
【００６４】
また、本実施形態の角形二次電池１００において、伸縮フィルム１は、開口１ａから電池蓋１２の全体を露出させている。これにより、電池缶１１と電池蓋１２との間の溶接部を伸縮フィルム１によって覆う必要がなくなる。溶接部は、電池容器１０のその他の部分と比較して表面粗さや凹凸が大きくなる場合がある。したがって、伸縮フィルム１による溶接部の被覆を回避して、伸縮フィルム１と電池容器１０との密着性を向上させ、伸縮フィルム１の剥がれをより効果的に防止することができる。
【００６５】
また、伸縮フィルム１は、開口１ａから電池蓋１２の全体を露出させることで、伸縮フィルム１の開口１ａの縁部１ｂを電池缶１１の幅広側面１１ｃ及び幅狭側面１１ｄ上に配置し、伸縮フィルム１による電池容器１０の被覆を容易にすることができる。また、粘着フィルム２によって伸縮フィルム１の開口１ａの縁部１ｂを覆う面積を比較的大きくすることができ、伸縮フィルム１の剥がれをより効果的に防止することが可能になる。
【００６６】
また、本実施形態の角形二次電池１００において、粘着フィルム２は、伸縮フィルム１の開口１ａから露出した電池蓋１２を覆うとともに、外部端子２０を露出させる貫通孔２ａを有している。これにより、粘着フィルム２によって、外部端子２０の溶接接合部２１に対するバスバーの接合を阻害することなく、伸縮フィルム１の開口１ａから露出した電池蓋１２を絶縁被覆することが可能になる。
【００６７】
また、本実施形態の角形二次電池１００において、伸縮フィルム１は、開口１ａから一対の幅広側面１１ｃの一部である電池蓋１２側の上端部と、幅狭側面１１ｄの一部である電池蓋１２側の上端部と、を露出させている。そして、粘着フィルム２は、これら伸縮フィルム１の開口１ａから露出した幅広側面１１ｃの一部と幅狭側面１１ｄの一部を覆っている。換言すると、粘着フィルム２は、電池蓋１２と、それに隣接する電池缶１１の４面を覆っている。これにより、粘着フィルム２をより強固に電池容器１０及び伸縮フィルム１に貼り付けて、粘着フィルム２の剥がれを防止することができ、その結果、伸縮フィルム１の剥がれをより効果的に防止することができる。
【００６８】
また、本実施形態の角形二次電池１００において、粘着フィルム２は、ガス排出弁１３の少なくとも一部を露出させる貫通孔２ｂを有している。したがって、電池容器１０の内圧上昇時にガス排出弁１３が開放されたときに、ガス排出弁１３からのガスの排出が粘着フィルム２によって妨げられることが防止され、角形二次電池１００の安全性を確保することができる。
【００６９】
また、本実施形態の角形二次電池１００において、伸縮フィルム１は、熱可塑性を有する樹脂材料によって製作されている。これにより、前述のように、伸縮フィルム１を加熱して軟化させ、一方向から減圧吸引することで、電池容器１０を伸縮フィルム１によって容易かつ確実に隙間なく覆うことができる。したがって、角形二次電池１００の絶縁の信頼性の向上、生産性の向上、及び製造コストの低減が可能になる。
【００７０】
また、本実施形態の角形二次電池１００において、粘着フィルム２の引張強さが伸縮フィルム１の引張強さよりも強い。これにより、粘着フィルム２と伸縮フィルム１の開口１ａの縁部１ｂとの間に引張応力が作用した場合でも、粘着フィルム２によって伸縮フィルム１の開口１ａの縁部１ｂを強固に保持し、伸縮フィルム１の剥がれをより効果的に防止することができる。
【００７１】
また、本実施形態の角形二次電池１００において、粘着フィルム２は、基材層２αと粘着層２βとを有し、粘着層２βと伸縮フィルム１との間の粘着力は、伸縮フィルム１と電池容器１０との間の接着力よりも強く、粘着フィルム２の粘着層２βと基材層２αとの間の粘着力よりも弱い。換言すると、粘着層２βと基材層２αとの間の保持力は、粘着層２βと伸縮フィルム１との間の保持力より大きい。また、粘着層２βと基材層２αとの間の保持力は、伸縮フィルム１と電池容器１０との間の保持力より大きい。これにより、粘着フィルム２は、基材層２αに保持された粘着層２βによって、伸縮フィルム１を強固に保持するとともに、伸縮フィルム１よりも電池容器１０に強固に固定されて、伸縮フィルム１の剥がれをより効果的に防止することができる。
【００７２】
また、本実施形態の角形二次電池１００において、粘着フィルム２の粘着層２βと基材層２αとの間の粘着力は、粘着層２βと電池容器１０との間の粘着力よりも強い。これにより、粘着フィルム２の貼り直しが可能になり、角形二次電池１００の製造工程における粘着フィルム２の歩留まりを向上させ、製造コストを低減することが可能になる。また、例えば、角形二次電池１００のリサイクル時に粘着フィルム２の回収が容易になる。
【００７３】
また、本実施形態の角形二次電池１００において、粘着フィルム２が着色されている場合には、レーザ変位計等の非接触式の測定器によって角形二次電池１００の外形寸法を測定する際に、粘着フィルム２の表面位置を正確に計測できる。したがって、角形二次電池１００の外形寸法の測定精度を向上させることができる。さらに、角形二次電池１００の仕様や納品先によって異なる色に着色することで、角形二次電池１００の仕様や納品先の判別を容易にすることができる。また、正極外部端子２０Ａ側と負極外部端子２０Ｂ側とで粘着フィルム２を異なる色に着色すれば、角形二次電池１００の正極と負極の判別が容易になる。
【００７４】
以上説明したように、本実施形態の角形二次電池１００によれば、電池容器１０を覆う絶縁材料である伸縮フィルム１及び粘着フィルム２の剥がれを防止し、電池容器１０の外部環境に対する絶縁の信頼性を向上させることができる。
【００７５】
なお、前述の実施形態では、角形二次電池１００の絶縁被覆工程において、熱可塑性の樹脂材料からなる伸縮フィルム１を電池缶１１の底面１１ｂ側に配置し、加熱により軟化させた伸縮フィルム１を電池蓋１２側から減圧吸引する例について説明した。しかし、角形二次電池１００の絶縁被覆工程は、前述の例に限定されない。以下、角形二次電池１００の絶縁被覆工程の変形例１及び２について説明する。
【００７６】
（角形二次電池の絶縁被覆工程：変形例１）
図６Ａ及び図６Ｂは、図１Ａに示す角形二次電池１００の絶縁被覆工程の変形例１を説明する斜視図である。図６Ｃは、図６ＢのＣ−Ｃ線に沿う拡大断面図である。なお、図６Ｃにおいて、電池缶１１内の構成の図示は省略している。
【００７７】
本変形例では、まず、図６Ａに示すように、絶縁被覆前の角形二次電池１００と、角形二次電池１００の電池容器１０を覆うための伸縮フィルム１を用意する。そして、電池容器１０を構成する電池蓋１２側に、伸縮フィルム１を配置する。ここで、伸縮フィルム１は、前述の実施形態と同様に、熱可塑性を有する樹脂材料によって製作されている。そのため、例えば、ヒーター等によって伸縮フィルム１を加熱して軟化させた後、吸引装置等によって電池缶１１の底面１１ｂ側から空気を吸引することで、軟化した伸縮フィルム１を電池容器１０に密着させて電池蓋１２側から包み込むことができる。
【００７８】
このとき、伸縮フィルム１の電池缶１１の底面１１ｂ側の端部は、図６Ｃに示すように、電池缶１１の底面１１ｂ上で重なることで互いに溶着され、電池缶１１の底面１１ｂ上に熱溶着部１ｃが形成されて封止される。その後、例えば、伸縮フィルム１から電池蓋１２と電池缶１１との間の溶接部を露出させるように、電池缶１１の上端で伸縮フィルム１を切断することで、電池容器１０の電池蓋１２側に伸縮フィルム１の開口１ａが形成される。その後、前述の実施形態と同様に、粘着フィルム２によって開口１ａから露出した電池蓋１２を覆う。本変形例の絶縁被覆工程によれば、電池容器１０を電池蓋１２側から伸縮フィルム１によって覆うことができる。
【００７９】
（角形二次電池の絶縁被覆工程：変形例２）
図７Ａから図７Ｅは、図１Ａに示す角形二次電池１００の絶縁被覆工程の変形例２を説明する斜視図である。
【００８０】
本変形例では、前述の実施形態１の絶縁被覆工程と同様に、まず、図７Ａに示すように、絶縁被覆前の角形二次電池１００と、角形二次電池１００の電池容器１０を覆うための伸縮フィルム１を用意する。ただし、本変形例で用いる伸縮フィルム１は、前述のＰＥＴ、ＰＰ等、熱収縮性を有する樹脂材料によって製作されている。伸縮フィルム１は、電池容器１０の厚さ方向における両端部が電池蓋１２側に向けて引き上げられることで、電池容器１０を挟んで二つ折りにされる。その後、伸縮フィルム１は、電池容器１０の幅方向の両端部が電池缶１１の幅狭側面１１ｄに沿って熱溶着されて熱溶着部１ｄが形成され、電池蓋１２側に開口を有する袋状になる。
【００８１】
次に、図７Ｃに示すように、袋状に形成された伸縮フィルム１の開口を熱溶着して熱溶着部１ｄを形成し、伸縮フィルム１によって外部端子２０を含めて電池容器１０の全体を覆う。次に、図７Ｄに示すように、電池容器１０の全体を覆う伸縮フィルム１を加熱して収縮させ、伸縮フィルム１を電池容器１０に密着させる。次に、図７Ｅに示すように、例えば、電池蓋１２と電池缶１１との間の溶接部よりも電池缶１１の底面１１ｂ側の位置で伸縮フィルム１を切断して開口１ａを形成する。その後、前述の実施形態と同様に、粘着フィルム２によって開口１ａから露出した電池蓋１２を覆う。本変形例の絶縁被覆工程によれば、減圧吸引によらず、電池容器１０を伸縮フィルム１によって覆うことができる。
【００８２】
なお、本変形例において、伸縮フィルム１の熱溶着部１ｄの位置は、特に限定されない。また、伸縮フィルム１の開口１ａは、少なくとも外部端子２０の溶接接合部２１の上面を露出させるように形成すればよい。
【００８３】
（実施形態２）
次に、本発明の角形二次電池の実施形態２について、図２から図４を援用し、図８Ａ及び図８Ｂを用いて説明する。図８Ａは、本発明の実施形態２に係る角形二次電池１００Ａを示す外観斜視図である。図８Ｂは、図８Ａに示す角形二次電池１００Ａから粘着フィルム２を取り外した状態を示す分解斜視図である。
【００８４】
本実施形態の角形二次電池１００Ａは、電池容器１０を覆う伸縮フィルム１Ａの開口１ａの大きさ、及び、電池容器１０を覆う粘着フィルム２Ａの大きさが、前述の実施形態１で説明した角形二次電池１００と異なっている。本実施形態の角形二次電池１００Ａのその他の点は、実施形態１の角形二次電池１００と同一であるので、同一の部分には同一の符号を付して説明を省略する。また、本実施形態の伸縮フィルム１Ａを電池容器１０に密着させる絶縁被覆工程は、例えば、前述の実施形態１の絶縁被覆工程とその変形例１及び２のいずれかを採用することができる。
【００８５】
本実施形態の角形二次電池１００Ａは、電池容器１０の幅Ｗ方向における伸縮フィルム１Ａの開口１ａの寸法が、電池蓋１２の長手方向の寸法、すなわち、電池容器１０の幅Ｗよりも小さくなっている。また、電池蓋１２及び電池缶１１の幅広側面１１ｃに沿う伸縮フィルム１Ａの開口１ａの寸法が、電池容器１０の厚さＴよりも大きくなっている。これにより、伸縮フィルム１Ａは、電池容器１０の幅Ｗ方向の両端部において、電池容器１０の５面、すなわち、電池缶１１の底面１１ｂ、一対の幅広側面１１ｃ、及び幅狭側面１１ｄ、並びに、電池蓋１２を覆っている。
【００８６】
また、伸縮フィルム１Ａは、電池容器１０の幅Ｗ方向の両端部を除く中間部において、開口１ａから電池蓋１２と電池缶１１の幅広側面１１ｃの上端部を露出させている。換言すると、伸縮フィルム１Ａは、電池容器１０の幅Ｗ方向の両端部を除く中間部において、電池容器１０の３面、すなわち、電池缶１１の底面１１ｂと、一対の幅広側面１１ｃの上端部を除く部分とを覆っている。要するに、伸縮フィルム１Ａは、開口１ａから電池蓋１２の一部と電池缶１１の一対の幅広側面１１ｃの一部を露出させ、電池蓋１２の長手方向の両端部と幅狭側面１１ｄを露出させることなく覆っている。
【００８７】
また、本実施形態において、粘着フィルム２Ａは、長手方向の寸法Ｄ２が電池容器１０の幅Ｗよりも小さくなっている。そのため、粘着フィルム２Ａは、伸縮フィルム１Ａの開口１ａから露出した電池蓋１２の長手方向の中間部、電池缶１１の幅広側面１１ｃの上端部、及び、伸縮フィルム１Ａの開口１ａの縁部１ｂを覆っているが、一対の幅狭側面１１ｄは覆っていない。換言すると、粘着フィルム２Ａは、電池容器１０の３面、すなわち、電池蓋１２及び電池缶１１の一対の幅広側面１１ｃを覆っている。
【００８８】
本実施形態の角形二次電池１００Ａによれば、実施形態１の角形二次電池１００と同様の効果が得られるだけでなく、図５Ｂに示す実施形態１の角形二次電池１００と比較して、粘着フィルム２Ａを折目２ｅ，２ｃで折り畳んで重ねる工程を省略することができる。したがって、角形二次電池１００Ａの製造を容易にして、生産性を向上させることができる。また、電池缶１１の幅広側面１１ｃ上で粘着フィルム２Ａが折り重なることがないので、実施形態１の角形二次電池１００と比較して、角形二次電池１００Ａを厚さＴ方向に並べて構成する組電池の体積をより減少させることができる。
【００８９】
（実施形態３）
次に、本発明の角形二次電池の実施形態３について、図２から図４を援用し、図９Ａ及び図９Ｂを用いて説明する。図９Ａは、本発明の実施形態３に係る角形二次電池１００Ｂを示す外観斜視図である。図９Ｂは、図９Ａに示す角形二次電池１００Ｂから粘着フィルム２Ｂを取り外した分解斜視図である。
【００９０】
本実施形態の角形二次電池１００Ｂは、電池容器１０を覆う伸縮フィルム１Ｂの開口１ａの大きさ、及び、電池容器１０を覆う粘着フィルム２Ｂの大きさが、前述の実施形態１及び２で説明した角形二次電池１００，１００Ａと異なっている。本実施形態の角形二次電池１００Ｂのその他の点は、実施形態１の角形二次電池１００と同一であるので、同一の部分には同一の符号を付して説明を省略する。また、本実施形態の伸縮フィルム１Ｂを電池容器１０に密着させる絶縁被覆工程は、例えば、前述の実施形態１の絶縁被覆工程とその変形例１及び２のいずれかを採用することができる。
【００９１】
本実施形態の角形二次電池１００Ｂは、電池容器１０の幅Ｗ方向における伸縮フィルム１Ｂの開口１ａの寸法が、電池蓋１２の長手方向の寸法、すなわち、電池容器１０の幅Ｗよりも小さくなっている。また、電池容器１０の厚さＴ方向における伸縮フィルム１Ｂの開口１ａの寸法が、電池容器１０の厚さＴよりも小さくなっている。これにより、伸縮フィルム１Ｂは、電池缶１１の全体を覆って、開口１ａから電池蓋１２の一部、すなわち電池蓋１２の周縁部を除く部分を露出させている。
【００９２】
また、本実施形態において、粘着フィルム２Ｂは、伸縮フィルム１Ｂの開口１ａから露出した電池蓋１２の周縁部を除く部分と伸縮フィルム１Ｂの開口１ａの縁部１ｂを覆っている。換言すると、粘着フィルム２Ｂは、電池容器１０の１面、すなわち、電池蓋１２の上面のみを覆っている。本実施形態の角形二次電池１００Ｂによれば、実施形態１の角形二次電池１００と同様の効果を得られるだけでなく、電池缶１１の幅広側面１１ｃにおいて伸縮フィルム１Ｂと粘着フィルム２Ｂとが重ならないので、実施形態２の角形二次電池１００Ａと比較して、角形二次電池１００Ｂを厚さＴ方向に並べて構成する組電池の体積をより減少させることができる。
【００９３】
（実施形態４）
次に、本発明の角形二次電池の実施形態４について、図２から図４を援用し、図１０を用いて説明する。図１０は、本発明の実施形態４に係る角形二次電池１００Ｃを示す外観斜視図である。
【００９４】
本実施形態の角形二次電池１００Ｃは、電池容器１０を覆う粘着フィルム２Ｃの外部端子２０を露出させる貫通孔２ａの大きさが、前述の実施形態１で説明した角形二次電池１００の粘着フィルム２の貫通孔２ａよりも小さくなっている。本実施形態の角形二次電池１００Ｃのその他の点は、実施形態１の角形二次電池１００と同一であるので、同一の部分には同一の符号を付して説明を省略する。
【００９５】
本実施形態において、粘着フィルム２Ｃの貫通孔２ａは、外部端子２０の溶接接合部２１を露出させ、かつ、溶接接合部２１と電池蓋１２との間のガスケット３の外形寸法と等しいかそれよりも僅かに小さくなっている。これにより、粘着フィルム２Ｃは、粘着層２βがガスケット３と密着し、ガスケット３の少なくとも一部を覆う。本実施形態において、粘着フィルム２Ｃは、ガスケット３の下端部を覆っているが、ガスケット３の全体を覆うようにしてもよい。
【００９６】
このように、粘着フィルム２Ｃをガスケット３に密着させてガスケット３の少なくとも一部を覆うようにするためには、例えば、粘着フィルム２Ｃを前述の熱収縮性を有する樹脂材料によって製作する。そして、粘着フィルム２Ｃに溶接接合部２１及びガスケット３の外形寸法よりも僅かに大きい貫通孔２ａを形成し、貫通孔２ａから溶接接合部２１及びガスケット３を露出させた状態で、粘着フィルム２Ｃを加熱して収縮させる。これにより、貫通孔２ａが収縮し、粘着フィルム２Ｃをガスケット３に密着させてガスケット３を覆うことができる。
【００９７】
なお、粘着フィルム２Ｃを熱収縮させない場合には、粘着フィルム２Ｃの伸縮性を利用して粘着フィルム２Ｃをガスケット３に密着させてもよい。具体的には、粘着フィルム２Ｃの貫通孔２ａをガスケット３の外形寸法よりも僅かに小さく形成し、ガスケット３を貫通孔２ａに押し込んで貫通孔２ａを拡張させることで、粘着フィルム２Ｃをガスケット３に密着させてガスケット３を覆うようにしてもよい。
【００９８】
本実施形態の角形二次電池１００Ｃによれば、粘着フィルム２Ｃがガスケット３に密着してガスケット３を覆うことで、電池蓋１２が粘着フィルム２Ｃの貫通孔２ａから露出することがなく、外部端子２０の近傍における電池容器１０の絶縁性が向上する。
【００９９】
以上、図面を用いて本発明の実施の形態を詳述してきたが、具体的な構成はこの実施形態に限定されるものではなく、本発明の要旨を逸脱しない範囲における設計変更等があっても、それらは本発明に含まれるものである。
【符号の説明】
【０１００】
１，１Ａ，１Ｂ  伸縮フィルム、１ａ  開口、１ｂ  縁部、２，２Ａ，２Ｂ，２Ｃ  粘着フィルム、２ａ  貫通孔、２ｂ  貫通孔、２α  基材層、２β  粘着層、３  ガスケット、１０  電池容器、１１  電池缶、１１ｃ  幅広側面、１１ｄ  幅狭側面、１２  電池蓋、１３  ガス排出弁、２０  外部端子、２０Ａ  正極外部端子、２０Ｂ  負極外部端子、４０  電極群、１００，１００Ａ，１００Ｂ，１００Ｃ  角形二次電池
【図１Ａ】
2018028964.tif 000003
【図１Ｂ】
2018028964.tif 000004
【図２】
2018028964.tif 000005
【図３】
2018028964.tif 000006
【図４】
2018028964.tif 000007
【図５Ａ】
2018028964.tif 000008
【図５Ｂ】
2018028964.tif 000009
【図６Ａ】
2018028964.tif 000010
【図６Ｂ】
2018028964.tif 000011
【図６Ｃ】
2018028964.tif 000012
【図７Ａ】
2018028964.tif 000013
【図７Ｂ】
2018028964.tif 000014
【図７Ｃ】
2018028964.tif 000015
【図７Ｄ】
2018028964.tif 000016
【図７Ｅ】
2018028964.tif 000017
【図８Ａ】
2018028964.tif 000018
【図８Ｂ】
2018028964.tif 000019
【図９Ａ】
2018028964.tif 000020
【図９Ｂ】
2018028964.tif 000021
【図１０】
2018028964.tif 000022